【手続補正書】
【提出日】平成16年12月22日(2004.12.22)
【手続補正１】
【補正対象書類名】明細書
【補正対象項目名】発明の名称
【補正方法】変更
【補正の内容】
【発明の名称】コンテンツ・アグリゲータからのメディア・サービスを処理する方法および装置
【手続補正２】
【補正対象書類名】明細書
【補正対象項目名】特許請求の範囲
【補正方法】変更
【補正の内容】
【特許請求の範囲】
【請求項１】  通信ネットワークを介して複数のコンテンツ・アグリゲータからのメディア・サービスを処理する方法であって、
複数のコンテンツ・アグリゲータのうちの第１のコンテンツ・アグリゲータから第１のメディア・サービス・リストを受信するステップと、
前記複数のコンテンツ・アグリゲータのうちの第２のコンテンツ・アグリゲータから第２のメディア・サービス・リストを受信するステップであって、前記第２のメディア・サービス・リストのデータ構造が、前記第１のメディア・サービス・リストのデータ構造と適合しない、第２のメディア・サービス・リストを受信するステップと、
前記第１のメディア・サービス・リストと前記第２のサービス・リストを、複数のユニフォーム・リソース・ロケータ（ＵＲＬ）から得られるメディア・サービスを含む統一メディア・サービス・リストに変換するステップと、を含んでいる、前記方法。
【請求項２】  前記統一メディア・サービス・リストを表示する追加ステップを更に含んでいる、請求項１に記載の方法。
【請求項３】  前記統一メディア・サービス・リスト上に表示されたメディア・サービスを要求する追加ステップであって、前記メディア・サービスの位置が、前記複数のユニフォーム・リソース・ロケータ（ＵＲＬ）のうちの対応するユニフォーム・リソース・ロケータ（ＵＲＬ）で判別される追加ステップと、
前記メディア・サービスを受信する追加ステップと、
前記メディア・サービスを出力する追加ステップとを更に含んでいる、請求項２に記載の方法。
【請求項４】  前記メディア・サービスが、携帯型音声デバイス、ステレオ、インターネット・ラジオ、コンピュータ、電話機、インターネット対応デバイス、メモリ装置のうちの少なくとも１つを含むデバイスから出力される、請求項３に記載の方法。
【請求項５】  前記出力が、前記メディア・サービスを再生デバイスに対して再生、コピー、伝送することのうちの少なくとも１つから選択される機能を含んでいる、請求項３に記載の方法。
【請求項６】  前記メディア・サービスが、．ｒａｍ、．ｒｍ、．ｒｐｍ、．ｍｏｖ、．ｑｉｆ、．ｗｍａ、．ｃｍｒ、．ａｖｉ、．ｓｗｆ、．ｓｗｌ、．ｍｐｇ、．ｍｐａ、．ｍｐ１、．ｍｐ２、．ｍｐ３、．ｍ３ａ、．ｍ３ｕのグループのうちの少なくとも１つのメディア拡張子タイプを含むフォーマットである、請求項３に記載の方法。
【請求項７】  前記第１のコンテンツ・アグリゲータのデータ構造が、文書型定義（ＤＴＤ）で定められる、請求項１に記載の方法。
【請求項８】  前記複数のコンテンツ・アグリゲータが、ウェブサイト、サーバ、ウェブ対応デバイス、ラジオ、データ記憶デバイス、オンデマンド加入サービス、チューニング・サービス、ピア・ツー・ピア・メディア・サービス、放送サービスのうちの少なくとも１つを含んでいる、請求項１に記載の方法。
【請求項９】  前記統一メディア・サービス・リストが、前記第１のメディア・サービス・リストと前記第２のメディア・サービス・リストのうちの少なくとも一方と同じデータ構造である、請求項１に記載の方法。
【請求項１０】  第３のメディア・サービス・リストが、変換されて前記統一メディア・サービス・リストにマージされる、請求項１に記載の方法。
【請求項１１】  前記統一メディア・サービス・リストが、前記メディア・サービスのジャンル、メディア・サービス作者、著作権日付、メディア・サービス伝送日、パフォーマ、題名、主題、親権者による格付、ユーザー格付、監督、製作者、前記メディア・サービスの実行時間、メディア・サービス伝送ロケータ、加入サービス、言語のうちの少なくとも１つで構成される、請求項２に記載の方法。
【請求項１２】  前記メディア・サービスが、前記複数のコンテンツ・アグリゲータのうちの１つのコンテンツ・アグリゲータからのものである、請求項３に記載の方法。
【請求項１３】  前記メディア・サービスが、前記複数のコンテンツ・アグリゲータのうちの１つのコンテンツ・アグリゲータに関連する位置から受信される、請求項３に記載の方法。
【請求項１４】  複数のコンテンツ・アグリゲータから受信したメディア・サービスを処理する方法であって、
第１のメディア・サービスを選択するステップと、
第２のメディア・サービスを選択するステップと、
前記第１のメディア・サービスおよび前記第２のメディア・サービスをデバイスにより処理するステップと、
前記第１のメディア・サービスを第１の再生デバイスに出力するステップと、
前記第２のメディア・サービスを第２の再生デバイスに出力するステップと、
を含んでおり、前記第１と第２のメディア・サービスの前記出力が同時である、前記方法。
【請求項１５】  前記第１および第２の再生デバイスに出力する前記各ステップが、それぞれ前記第１および第２のデバイスに対してストリームを再生、コピー、伝送することのうちの少なくとも１つを含んでいる、請求項１４に記載の方法。
【請求項１６】  前記第１の再生デバイスが、ステレオ受信機、テレビジョン、家庭用ネットワーク・デバイス、無線周波数ネットワーク、無線周波数ベースの音楽デコーダ、セット・トップ・ボックス、衛星無線デコーダのうちの少なくとも１つを含んでいる、請求項１４に記載の方法。
【請求項１７】  複数のコンテンツ・アグリゲータから得られるメディア・サービスを統一するための装置であって、
複数のコンテンツ・アグリゲータのうちの第１のコンテンツ・アグリゲータから得られる第１のメディア・サービスをリストする識別子受信手段と、
前記複数のコンテンツ・アグリゲータのうちの第２のコンテンツ・アグリゲータから得られる第２のメディア・サービスをリストする識別子受信手段と、
を含んでおり、
第１のメディア・サービス・リストのデータ構造が第２のメディア・サービス・リストのデータ構造と適合せず、
更に、前記第１のメディア・サービス・リストと前記第２のメディア・サービス・リストを、複数のユニフォーム・リソース・ロケータ（ＵＲＬ）から得られるメディア・サービスを含む統一メディア・サービス・リストに変換する手段を含んでいる装置。
【請求項１８】  前記統一メディア・サービス・リストを表示する手段を更に含んでいる、請求項１７に記載の装置。
【請求項１９】  前記統一メディア・サービス・リスト上に表示されたメディア・サービスを要求する手段と、
前記メディア・サービスを受信する手段と、
前記メディア・サービスを出力する手段と、
を更に含んでいる、請求項１８に記載の装置。
【請求項２０】  事前選択された第２のメディア・サービスを受信する手段と、
前記第２のメディア・サービスを出力する手段とを更に含んでおり、前記第２のメディア・サービスを出力する手段が、前記メディア・サービスを出力する手段とは異なる、請求項１９に記載の装置。
【請求項２１】  前記メディア・サービスを購入する手段を更に含んでいる、請求項１９に記載の装置。
【手続補正３】
【補正対象書類名】明細書
【補正対象項目名】０００８
【補正方法】変更
【補正の内容】
【０００８】
本発明の原理により、複数のコンテンツ・アグリゲータからのメディア・サービスを索引付け（ｉｎｄｅｘｉｎｇ）および取得することを可能にする方法および装置を開示する。複数のコンテンツ・アグリゲータから得られるメディア・サービスを索引付けすることによって、メディア・サービスのリストを生成する。また、この方法および装置は、複数のコンテンツ・アグリゲータから得られる選択されたメディア・サービスを取り出して再生デバイスに出力することも開示する。
特許請求の範囲と実施例との対応関係を実施例で使われている参照番号を用いて示すと以下の通りである。
（請求項１）  通信ネットワークを介して複数のコンテンツ・アグリゲータからのメディア・サービスを処理する方法であって、
複数のコンテンツ・アグリゲータのうちの第１のコンテンツ・アグリゲータから第１のメディア・サービス・リストを受信するステップと、
前記複数のコンテンツ・アグリゲータのうちの第２のコンテンツ・アグリゲータから第２のメディア・サービス・リストを受信するステップであって、前記第２のメディア・サービス・リストのデータ構造が、前記第１のメディア・サービス・リストのデータ構造と適合しない、第２のメディア・サービス・リストを受信するステップと、
前記第１のメディア・サービス・リストと前記第２のサービス・リストを、複数のユニフォーム・リソース・ロケータ（ＵＲＬ）から得られるメディア・サービスを含む統一メディア・サービス・リストに変換するステップと、を含んでいる、前記方法。
（請求項２）  前記統一メディア・サービス・リストを表示する追加ステップを更に含んでいる、請求項１に記載の方法。
（請求項３）  前記統一メディア・サービス・リスト上に表示されたメディア・サービスを要求する追加ステップであって、前記メディア・サービスの位置が、前記複数のユニフォーム・リソース・ロケータ（ＵＲＬ）のうちの対応するユニフォーム・リソース・ロケータ（ＵＲＬ）で判別される追加ステップと、
前記メディア・サービスを受信する追加ステップと、
前記メディア・サービスを出力する追加ステップとを更に含んでいる、請求項２に記載の方法。
（請求項４）  前記メディア・サービスが、携帯型音声デバイス、ステレオ、インターネット・ラジオ、コンピュータ、電話機、インターネット対応デバイス、メモリ装置のうちの少なくとも１つを含むデバイスから出力される、請求項３に記載の方法。
（請求項５）  前記出力が、前記メディア・サービスを再生デバイスに対して再生、コピー、伝送することのうちの少なくとも１つから選択される機能を含んでいる、請求項３に記載の方法。
（請求項６）  前記メディア・サービスが、．ｒａｍ、．ｒｍ、．ｒｐｍ、．ｍｏｖ、．ｑｉｆ、．ｗｍａ、．ｃｍｒ、．ａｖｉ、．ｓｗｆ、．ｓｗｌ、．ｍｐｇ、．ｍｐａ、．ｍｐ１、．ｍｐ２、．ｍｐ３、．ｍ３ａ、．ｍ３ｕのグループのうちの少なくとも１つのメディア拡張子タイプを含むフォーマットである、請求項３に記載の方法。
（請求項７）  前記第１のコンテンツ・アグリゲータのデータ構造が、文書型定義（ＤＴＤ）で定められる、請求項１に記載の方法。
（請求項８）  前記複数のコンテンツ・アグリゲータが、ウェブサイト、サーバ、ウェブ対応デバイス、ラジオ、データ記憶デバイス、オンデマンド加入サービス、チューニング・サービス、ピア・ツー・ピア・メディア・サービス、放送サービスのうちの少なくとも１つを含んでいる、請求項１に記載の方法。
（請求項９）  前記統一メディア・サービス・リストが、前記第１のメディア・サービス・リストと前記第２のメディア・サービス・リストのうちの少なくとも一方と同じデータ構造である、請求項１に記載の方法。
（請求項１０）  第３のメディア・サービス・リストが、変換されて前記統一メディア・サービス・リストにマージされる、請求項１に記載の方法。
（請求項１１）  前記統一メディア・サービス・リストが、前記メディア・サービスのジャンル、メディア・サービス作者、著作権日付、メディア・サービス伝送日、パフォーマ、題名、主題、親権者による格付、ユーザー格付、監督、製作者、前記メディア・サービスの実行時間、メディア・サービス伝送ロケータ、加入サービス、言語のうちの少なくとも１つで構成される、請求項２に記載の方法。
（請求項１２）  前記メディア・サービスが、前記複数のコンテンツ・アグリゲータのうちの１つのコンテンツ・アグリゲータからのものである、請求項３に記載の方法。
（請求項１３）  前記メディア・サービスが、前記複数のコンテンツ・アグリゲータのうちの１つのコンテンツ・アグリゲータに関連する位置から受信される、請求項３に記載の方法。
（請求項１４）  複数のコンテンツ・アグリゲータから受信したメディア・サービスを処理する方法であって、
第１のメディア・サービスを選択するステップと、
第２のメディア・サービスを選択するステップと、
前記第１のメディア・サービスおよび前記第２のメディア・サービスをデバイスにより処理するステップと、
前記第１のメディア・サービスを第１の再生デバイスに出力するステップと、
前記第２のメディア・サービスを第２の再生デバイスに出力するステップと、
を含んでおり、前記第１と第２のメディア・サービスの前記出力が同時である、前記方法。
（請求項１５）  前記第１および第２の再生デバイスに出力する前記各ステップが、それぞれ前記第１および第２のデバイスに対してストリームを再生、コピー、伝送することのうちの少なくとも１つを含んでいる、請求項１４に記載の方法。
（請求項１６）  前記第１の再生デバイスが、ステレオ受信機、テレビジョン、家庭用ネットワーク・デバイス、無線周波数ネットワーク、無線周波数ベースの音楽デコーダ、セット・トップ・ボックス、衛星無線デコーダのうちの少なくとも１つを含んでいる、請求項１４に記載の方法。
（請求項１７）  複数のコンテンツ・アグリゲータから得られるメディア・サービスを統一するための装置であって、
複数のコンテンツ・アグリゲータのうちの第１のコンテンツ・アグリゲータ（１０２）から得られる第１のメディア・サービスをリストする識別子受信手段（２０２）と、
前記複数のコンテンツ・アグリゲータのうちの第２のコンテンツ・アグリゲータ（１０２）から得られる第２のメディア・サービスをリストする識別子受信手段（２０２）と、
を含んでおり、
第１のメディア・サービス・リストのデータ構造が第２のメディア・サービス・リストのデータ構造と適合せず、
更に、前記第１のメディア・サービス・リストと前記第２のメディア・サービス・リストを、複数のユニフォーム・リソース・ロケータ（ＵＲＬ）から得られるメディア・サービスを含む統一メディア・サービス・リストに変換する手段（２１４）を含んでいる装置。
（請求項１８）  前記統一メディア・サービス・リストを表示する手段（２２２）を更に含んでいる、請求項１７に記載の装置。
（請求項１９）  前記統一メディア・サービス・リスト上に表示されたメディア・サービスを要求する手段（２２４）と、
前記メディア・サービスを受信する手段（２０２）と、
前記メディア・サービスを出力する手段（２２０）と、
を更に含んでいる、請求項１８に記載の装置。
（請求項２０）  事前選択された第２のメディア・サービスを受信する手段（２０４）と、
前記第２のメディア・サービスを出力する手段（２１２）とを更に含んでおり、前記第２のメディア・サービスを出力する手段（２１２）が、前記メディア・サービスを出力する手段（２２０）とは異なる、請求項１９に記載の装置。
（請求項２１）  前記メディア・サービスを購入する手段（２２４）を更に含んでいる、請求項１９に記載の装置。